(57)【特許請求の範囲】
【請求項１】
キッチンユニット本体の上面に加熱調理機器とシンクが設けられ、かつ前記キッチンユニット本体の背面側の外縁部に食卓用カウンターが設けられた対面式のキッチンユニットであって、
前記キッチンユニット本体を、前記食卓用カウンターを装備し、かつキッチン床に設置される下部構造物と、上面に前記加熱調理機器と前記シンクを装備し、かつ前記下部構造物に対して昇降可能に配置された上部構造物とに分割構成し、
前記上部構造物を支持するように配置された可動部材と前記下部構造物に固定されて前記可動部材を上下移動する上下駆動装置とにより前記上部構造物の上面と前記下部構造物の前記食卓用カウンターの上面とがほぼ同一平面になるように高さ調整できるようにしたことを特徴とするキッチンユニット。
【請求項２】
請求項１に記載のキッチンユニットにおいて、
前記食卓用カウンターを、前記上部構造物の上面より低い位置に設けたことを特徴とするキッチンユニット。
【請求項３】
請求項１又は２に記載のキッチンユニットにおいて、
前記上部構造物の正面側の外縁部に、前記上部構造物に垂下され、もしくは前記上部構造物の内部に配置された状態から前記上部構造物の上面とほぼ平行な状態となるように移動される補助カウンターを出し入れ自在に設け、
前記可動部材と前記上下駆動装置とにより、補助カウンターが前記上部構造物の上面とほぼ平行にされた状態で前記食卓用カウンターの上面とほぼ同一平面になるように高さ調整できるようにしたことを特徴とするキッチンユニット。
【請求項４】
請求項１乃至３のいずれかに記載のキッチンユニットにおいて、
前記食卓用カウンターに対応した任意の位置に食卓用の椅子が配置され、前記下部構造物の内部空間に、前記下部構造物の正面側の外方に引き出される引出し式椅子が収納されていることを特徴とするキッチンユニット。
【発明の詳細な説明】
【技術分野】
【０００１】
本発明は、キッチンユニット本体の上面に加熱調理機器とシンクが設けられ、かつキッチンユニット本体の背面側に食卓用カウンターが設けられたキッチンユニットに関する。
【背景技術】
【０００２】
システムキッチンの分野において、主婦が炊事作業中でも家族とコミュニケーションを取る目的で、対面式キッチンユニットが採用されている。
従来の対面式キッチンユニットにはキッチンユニット本体の背面側の外縁部に食卓用カウンターを設けたものがある（例えば、特許文献１参照）。食卓用カウンターはキッチンユニット本体の上面とほぼ同一の高さに設けられており、食事の際にキッチンユニット本体の上面も食卓として有効利用できる。
【先行技術文献】
【特許文献】
【０００３】
【特許文献１】特開２０１１−１９６００号公報
【発明の概要】
【発明が解決しようとする課題】
【０００４】
既知の従来の技術には、次のような解決すべき課題があった。
上記従来の食卓用カウンターを設けた対面式キッチンユニットは、食卓用カウンターがキッチンユニット本体の上面とほぼ同一の高さに設けられているので、食卓用カウンターが調理台としての高さとなり、通常の食卓としての高さより高くなり食事の際に違和感が生じ易い。
【０００５】
このため、食卓用カウンターをキッチンユニット本体の上面より低い位置に設けることが検討されている。しかし、食卓用カウンターをキッチンユニット本体の上面より低い位置に設けた場合、調理が終了した段階で、キッチンユニット本体の上面と食卓用カウンターとが高さが異なることから、食事の際にキッチンユニット本体の上面を食卓として有効に使えないという課題がある。
【０００６】
本発明は、上記の課題を解消するためになされたもので、調理台としての高さを食卓としての高さに合わせるためにキッチンユニット本体の上面を上下動できるキッチンユニットを提供することを目的とする。
【課題を解決するための手段】
【０００７】
以下の構成はそれぞれ上記の課題を解決するための手段である。
〈構成１〉
キッチンユニット本体の上面に加熱調理機器とシンクが設けられ、かつ前記キッチンユニット本体の背面側の外縁部に食卓用カウンターが設けられた対面式のキッチンユニットであって、前記キッチンユニット本体を、キッチン床に設置される下部構造物と、上面に前記加熱調理機器と前記シンクを装備し、かつ前記下部構造物に対して昇降可能に配置された上部構造物とに分割構成し、キッチンユニット本体の内部に、前記上部構造物が前記下部構造物に対して上下動するように前記上部構造物を昇降させる昇降装置を設けたことを特徴とするキッチンユニット。
【０００８】
〈構成２〉
構成１に記載のキッチンユニットにおいて、前記食卓用カウンターを、前記上部構造物の上面より低い位置に設けたことを特徴とするキッチンユニット。
【０００９】
〈構成３〉
構成１又は２に記載のキッチンユニットにおいて、前記上部構造物の正面側の外縁部に、前記上部構造物に垂下され、もしくは前記上部構造物の内部に配置された状態から前記上部構造物の上面とほぼ平行な状態となるように移動される補助カウンターを出し入れ自在に設け、前記昇降装置を、前記上部構造物の上面が調理時の高さと前記食卓用カウンターの上面の高さとの範囲で上下動するように設けたことを特徴とするキッチンユニット。
【００１０】
〈構成４〉
構成１乃至３のいずれかに記載のキッチンユニットにおいて、前記昇降装置は、前記上部構造物を支承する支持部材と前記支持部材を上下動可能に支持する可動部材および前記可動部材をスライド可能に保持する不動部材により構成された脚部とを有する架台と、端部が前記不動部材の上部に固定されて垂下され、前記可動部材の下部に取付けられたガイドローラで折り返されて前記可動部材の側面に沿って上向きにガイドされたベルト又はワイヤーと、前記架台の支持部材に設置されて前記上向きにガイドされたベルト又はワイヤーを巻取り巻戻しする回転体を正逆転駆動するモータとを備えたことを特徴とするキッチンユニット。
【００１１】
〈構成５〉
構成４に記載のキッチンユニットにおいて、前記不動部材を、両方の側面側に沿ってそれぞれ嵌合溝が形成された長方形状のガイドケースにより構成し、前記可動部材を、両方の側面側に沿ってそれぞれ嵌合溝が前記ガイドケースの前記嵌合溝に対向する位置に形成された長方形状のスライドケースにより構成し、前記ガイドケースの嵌合溝とこれに対向する前記スライドケースの嵌合溝との間に長方形状のスライダーを配置すると共に、前記スライダーの一側端部を前記不動部材の前記嵌合溝に嵌合固定し、前記スライダーの他側端部を前記可動部材の前記嵌合溝にスライド可能に嵌合して取付けて、前記ガイドケースと前記スライドケースと前記スライダーとの間に横断面偏平な空間を形成し、前記空間内に前記ベルト又はワイヤーの、前記脚部の側面に沿う部分を収納したことを特徴とするキッチンユニット。
【００１２】
〈構成６〉
構成４又は５に記載のキッチンユニットにおいて、前記ベルト又はワイヤーの端部は、張力調節装置を介して前記不動部材の上部に固定されていることを特徴とするキッチンユニット。
【００１３】
〈構成７〉
構成４乃至６のいずれかに記載のキッチンユニットにおいて、前記ベルト又はワイヤーは、その中間部が前記モータの前記回転体の軸心を縦断する保持溝に挿通されて固定されると共に、前記回転体の両側方の、前記回転体の軸心を通る水平面上にそれぞれ設けられたガイドローラに掛けられて水平方向にガイドされ、さらに、他のガイドローラに掛けられて前記架台の脚部側面に沿って垂下するようにガイドされ、前記可動部材の下部に取付けられた前記ガイドローラで折り返されて上向きにガイドされた両端部が前記不動部材の上部に固定されていることを特徴とするキッチンユニット。
【発明の効果】
【００１４】
〈構成１の効果〉
キッチンユニット本体の上面を、調理台としての高さと食卓としての高さとに自在に上下動することができる。すなわち、キッチンユニット本体の上面は、調理時には調理し易い高さに保持され、食事時には降下されて食事し易い高さに調整できる。
〈構成２の効果〉
食事時等に昇降装置を駆動して上部構造物を下降することにより上部構造物の上面を食卓用カウンターとほぼ同一平面として広い食卓面とすることができる。すなわち、キッチンユニット本体の上面を食卓用カウンターと同様に食事し易い高さとすることができる。
〈構成３の効果〉
補助カウンターを設けたことにより上部構造物の上面を拡張できる。さらに昇降装置を駆動することにより、補助カウンターを含む上部構造物の上面と食卓用カウンターの上面とを加えて食卓面を大幅に拡張できる。
〈構成４の効果〉
回転体を正逆転駆動することによりベルト又はワイヤーに牽引力が作用し、この牽引力により上下動する可動部材を介して上部構造物を自在に昇降させることができる。
〈構成５の効果〉
ベルト又はワイヤーの、脚部の側面に沿う部分がガイドケースおよびスライドケースにより外界から遮蔽されるので、狭い空間でのベルト又はワイヤーの上下動作が他の構造物に接触することなくスムーズに行われる。
〈構成６の効果〉
ベルト又はワイヤーの張力を、使用状況に応じて自在に調節できる。
〈構成７の効果〉
ベルト又はワイヤーの中間部がモータの回転体の保持溝に挿通された後に水平方向にガイドされていることにより、回転体によりベルト又はワイヤーの中間部を巻取りしたときに回転体を境界としてベルト又はワイヤーの両側で巻取り量に差異が生じることがなく、回転体を境界とする両側で均等にベルト又はワイヤーの上下動作を行うことができる。
【図面の簡単な説明】
【００１５】
【図１】実施例１のキッチンユニットの概要を正面から示す説明図で、（ａ）は同キッチンユニット本体の上部構造物の移動前の状態を示す説明図、（ｂ）は同上部構造物の移動後の状態を示す説明図である。
【図２】同キッチンユニットの概要を側面から示す説明図で、（ａ）は同上部構造物の移動前の状態を示す説明図、（ｂ）は同上部構造物の移動後の状態を示す説明図である。
【図３】同キッチンユニットを示す正面図である。
【図４】同キッチンユニットを示す平面図である。
【図５】同キッチンユニットに取付けられる昇降装置の概要を示す説明図である。
【図６】同昇降装置の一部の部品とその組立て状況を示す説明図で、（ａ）は同昇降装置の一部の部品を分解した状態を示す説明図、（ｂ）は同部品を合体した状態を示す説明図、（ｃ）は同部品を合体した状態を示す斜視図である。
【図７】同昇降装置の主要部を示す説明図である。
【図８】同主要部の一部を拡大して示す説明図である。
【図９】同昇降装置の一部を示す図で、（ａ）は同昇降装置の動く前の状態を示す説明図、（ｂ）は同昇降装置が動いた後の状態を示す説明図である。
【図１０】同昇降装置の動きを示す図で、（ａ）は同昇降装置の動く前の状態を示す説明図、（ｂ）は同昇降装置が動いた後の状態を示す説明図である。
【図１１】同昇降装置のベルトの取付け状況を示す図で、（ａ）は同ベルトをモータの回転体に水平に取付けた状態を示す説明図、（ｂ）は同ベルトをモータの回転体に傾斜して取り付けた状態を示す説明図である。
【図１２】図１０に示した昇降装置とは異なる方式でベルトを掛け渡した昇降装置の動きを示す図で、（ａ）は同昇降装置の動く前の状態を示す説明図、（ｂ）は同昇降装置が動いた後の状態を示す説明図である。
【図１３】本発明に係る昇降装置の他の例を示す説明図である。
【発明を実施するための形態】
【００１６】
以下、本発明の実施の形態を詳細に説明する。
【実施例１】
【００１７】
図１は実施例１のキッチンユニット１０の概要を正面から示した図で、（ａ）は同キッチンユニット本体の上部構造物の移動前の状態、（ｂ）は同上部構造物の移動後の状態をそれぞれ示している。図２は同キッチンユニットの概要を側面から示した図で、（ａ）は同上部構造物の移動前の状態、（ｂ）は同上部構造物の移動後の状態をそれぞれ示している。図３は図２（ａ）の正面図である。図４は図２（ｂ）の平面図である。
【００１８】
これらの図において、キッチンユニット１０は、キッチンユニット本体１２の上面に加熱調理機器１４とシンク１６が設けられ、かつキッチンユニット本体１２の背面側の外縁部に食卓用カウンター２０が設けられ、対面式に構成されている。加熱調理機器１４は、ガスコンロ式でもＩＨクッキングヒーター式でもよい。
【００１９】
図４の符号１８はシンク１６の排水口を示している。図示を省略したが、加熱調理機器１４およびシンク１６には、給電、ガス、給水、給湯、排水等の各種配管に対応する周知の管体が連結されている。これらの配管は周知のフレキシブル管でもよい。
【００２０】
キッチンユニット本体１２は、キッチン床に設置される下部構造物２２と、下部構造物２２の上に配置された上部構造物２４とに分割された構成とされている。上部構造物２４は下部構造物２２に対して上下移動可能にされている。
【００２１】
上部構造物２４の下方に、下部構造物２２を固定した状態で上部構造物２４を昇降させる昇降装置２６が設けられている。昇降装置２６は下部構造物２２とほぼ並列に配設されている。
【００２２】
加熱調理機器１４とシンク１６は上部構造物２４の上面に装備されている。食卓用カウンター２０は、下部構造物２２の背面側の外縁部に設けられている。食卓用カウンター２０は、上部構造物２４の上面より低い位置に設けられている。
【００２３】
図２に示したように、食卓用カウンター２０に対応して配置された椅子２３は、食卓用カウンター２０を食卓として使用するのに好適である。図３に示したように、下部構造物２２には、物品収納部７０、配管設備を備えるＰＳ７２等が配設されている。
【００２４】
上部構造物２４の上面の正面側外縁部に、上部構造物２４の上面とほぼ同一平面となる補助カウンター２８とスライドカウンター２９とが設けられている。下部構造物２２の物品収納部７０に隣接する空間に２台の引出し式椅子２５が収納されている。引出し式椅子２５は下部構造物２２の正面側の外方に引き出される。
【００２５】
引出し式椅子２５は、出し入れ自在にする車輪７４と小物品を収容可能な内部空間とを備えている。下部構造物２２に配置された引出し式椅子２５は、補助カウンター２８とスライドカウンター２９を食卓として使用するのに好適である。
【００２６】
スライドカウンター２９は、図４に示されるように上部構造物２４正面の中央に位置し、その両隣に補助カウンター２８が位置するようにほぼ同一平面に並列に設けられている。補助カウンター２８とスライドカウンター２９は、常時は邪魔にならないように上部構造物２４の正面からなるべく外方に突出しないようにされている。
【００２７】
補助カウンター２８は、図示しないが上部構造物２４に蝶番で支持されている。補助カウンター２８は上部構造物２４の正面に沿って垂下された状態から回動されて外方に出し入れ自在に設けられている。図２にキッチンユニット本体１２で使用する補助カウンター２８の動きを示している。
【００２８】
図２（ａ）は補助カウンター２８が動く前の垂下した状態を示しており、図２（ｂ）は補助カウンター２８が動いた後の水平状態を示している。
【００２９】
すなわち、補助カウンター２８は、図２（ａ）に示すように垂下された状態から回動されて図２（ｂ）に示すようにキッチンユニット本体１２の上面とほぼ同一面に沿った水平状態となるように出し入れ自在に設けられている。
【００３０】
補助カウンター２８は、下部構造物２２に回動自在に取り付けられたブラケット（図示せず）により支持されている。スライドカウンター２９はキッチンユニット本体１２の内部空間に配置されたほぼ水平な状態から外方に引き出されて固定される。スライドカウンター２９は出し入れ自在に設けられている。
【００３１】
使用時に補助カウンター２８とスライドカウンター２９を外方に出すことにより、上部構造物２４の上面を実質的に拡大できる。
【００３２】
また、補助カウンター２８のみを上部構造物２４の外方に引き出してスライドカウンター２９を上部構造物２４内に収納した状態とすることにより、調理人がスライドカウンター２９の引出しスペースに入り込んで２枚の補助カウンター２８を利用して配膳スペースが広い状態で調理することができる。
【００３３】
図１、図２に示したように、下部構造物２２の上位の背面側外縁部と側面側外縁部に、それぞれシンク１６もしくは加熱調理機器１４からの水はねもしくは油はねを受ける遮蔽板２１Ａと２１Ｂとを起立させて設けてもよい。
【００３４】
これらの遮蔽板２１Ａと２１Ｂは、下部構造物２２に固定されるか、あるいは図示しないが下部構造物２２の背面側外縁部と側面側外縁部を支点として蝶番等を介して回動自在に設けられる。
【００３５】
遮蔽板２１Ａは、図２に示すように、Ｌ字形の板体であり、下部構造物２２の上位の背面側外縁部に設けられている食卓用カウンター２０の上面を被うように配置されている。この場合は、遮蔽板２１Ａが食卓用カウンターとなる。
【００３６】
シンク１６の排水口１８に連結される排水管１９は、図１、図２に示されるように外径の異なる複数の管体を連結してなる伸縮自在管が使用されている。
【００３７】
昇降装置２６は、上部構造物２４の上面が調理時の高さから食卓用カウンター２０の上面の高さまでの範囲（Ｈ）で上部構造物２４を上下動するように設けられている。
【００３８】
図５は同キッチンユニットに取付けられる昇降装置の概要を示す図である。図６（ａ）は同昇降装置の一部の部品を分解した状態を示す図、（ｂ）および（ｃ）は同部品を合体した状態を示す図である。図７は同昇降装置の主要部を示している。図８は同主要部の一部を拡大して示している。図９は（ａ）は同昇降装置の動く前の状態を示している。（ｂ）は同昇降装置が動いた後の状態を示している。図１０（ａ）は同昇降装置の動く前の状態を示している。（ｂ）は同昇降装置が動いた後の状態を示している。
【００３９】
昇降装置２６は、図５に示すように、上部構造物２４を支承する平板状の支持部材３０とこの支持部材３０を支持する脚部３６とを有する架台３８と、支持部材３０と脚部３６とに沿って掛け渡されたベルト４２と、ベルト４２を巻取り巻戻しする回転体４４を正逆転駆動するモータ４６とを備えている。
【００４０】
モータ４６を正逆転駆動することによりベルト４２に牽引力が作用し、この牽引力により上下動する可動部材３２を介して上部構造物２４を自在に昇降させることができる。
【００４１】
回転体４４はモータ４６の駆動軸に減速機構を介して連結され、モータ４６の両側に突出するように設けられている。ベルト４２は２組使用され、それぞれが回転体４４に巻取り又は巻戻しされるように取付けられると共に、各回転体４４の両側方に配置された脚部３６の近傍にガイドされている。
【００４２】
脚部３６は支持部材３０を上下動可能に支持する可動部材３２と可動部材３２をスライド可能に保持する不動部材３４とから構成されている。
【００４３】
不動部材３４は、図６に示されるように両方の側面側に沿ってそれぞれ嵌合溝４８が形成された長方形状のガイドケース５０により構成されている。可動部材３２は、両方の側面側に沿ってそれぞれ嵌合溝４９がガイドケース５０の嵌合溝４８に対向する位置に形成された長方形状のスライドケース５２により構成されている。
【００４４】
ガイドケース５０の嵌合溝４８とこれに対向するスライドケース５２の嵌合溝４９との間に長方形状のスライダー５４が嵌合配置されている。スライダー５４の一側端部は不動部材３４の嵌合溝４８にかしめ、あるいは接着剤を介して固定されている。スライダー５４の他側端部は可動部材３２の嵌合溝４９にスライド可能に嵌合されている。
【００４５】
ガイドケース５０とスライドケース５２とスライダー５４との間に横断面偏平な空間５６が形成されている。空間５６は、図７に示されるようにベルト４２の、脚部３６の側面に沿う部分を収納している。
【００４６】
ベルト４２の、脚部３６の側面に沿う部分がガイドケース５０およびスライドケース５２により外界から遮蔽されるので、キッチンユニット本体１２内の狭い空間でのベルト４２の上下動作が他の構造物に接触することなくスムーズに行われる。
【００４７】
ベルト４２は、図８に示されるようにその中間部がモータ４６の回転体４４の軸心を縦断する保持溝６８に嵌入されて固定されると共に、回転体４４の両側方の水平面上にそれぞれ設けられたガイドローラ４０Ａに掛けられて水平方向にガイドされている。
【００４８】
さらに、ベルト４２は、他のガイドローラ４０Ｂに掛けられて架台３８の脚部３６側面に沿って垂下するようにガイドされ、可動部材３２の下部に取付けられたガイドローラ４０Ｃで折り返されて上向きにガイドされた両端部が張力調節装置７６を介して不動部材３４の上部に固定されている。
【００４９】
上部構造物２４はベルト４２の張力により可動する可動部材３２および支持部材３０を介して支持されている。ベルト４２の張力は張力調節装置７６により使用状況に応じて自在に調節できる。
【００５０】
張力調節装置７６は、図８に示されるように外周にねじ溝５８を有するロッド６０と、このロッド６０に螺合されたナット６２と、ロッド６０を挿通させる貫通孔を有しかつ不動部材３４に取付けられたブラケット６６とを備えている。
【００５１】
ロッド６０の上端はベルト４２の端部に連結されている。ロッド６０の下端部にはブラケット６６の貫通孔に通した状態でナット６２が螺合される。ナット６２の回動によりブラケット６６に対してロッド６０を上下移動させ、ベルト４２の張力を調節する。
【００５２】
図１１（ａ）はベルト４２をモータの回転体４４に水平に取付けた状態を示している。（ｂ）は同ベルトをモータの回転体に傾斜して取り付けた状態をしている。
【００５３】
ベルト４２は、図１１（ａ）に示されるように、その中間部がモータの回転体４４の軸心を縦断する保持溝６８に嵌入されて固定されると共に、回転体４４の両側方の、回転体の軸心を通る水平面上にそれぞれ設けられたガイドローラ４０Ａに掛けられて水平方向にガイドされることが望ましい。
【００５４】
すなわち、ベルト４２の中間部が回転体４４の軸心の両側において水平方向にガイドされていることにより、回転体４４によりベルト４２の中間部を巻取りしたときに回転体を境界としてベルト４２の両側で巻取り量に差異が生じることがなく、回転体を境界とする両側で均等にベルト４２の上下動作を行うことができるからである。
【００５５】
図１１（ｂ）に示されるように、ベルト４２の中間部がモータの回転体の保持溝６８に嵌入された後に傾斜した状態でガイドされていると、回転体４４によりベルト４２の中間部を巻取りしたときに回転体４４を境界としてベルト４２の両側における巻取り量に差異が生じてくる。
【００５６】
すなわち、図１１（ｂ）に示すように、回転体４４を境界として図中左側の右肩上がりのベルト４２ａが図中右側の右肩下がりのベルト４２ｂに比べて間隔Ｓの差異が生じてくる。このため、回転体を境界とする両側で均等にベルトの上下動作を行うことができない。
【００５７】
図１２は図１０に示した昇降装置とは異なる方式でベルトを掛け渡した構造の昇降装置の動きを示しており、（ａ）は同昇降装置の稼働前の状態、（ｂ）は同昇降装置の稼働後の状態をそれぞれ示している。
【００５８】
図１０に示した上記実施例では回転体４４の保持溝６８に嵌入固定されたベルト４２が左右に２つのガイドローラ４０Ａを介して次のガイドローラ４０Ｂに掛け渡されて架台３８の脚部側面に沿って垂下するようにガイドされている例につき説明した。
【００５９】
本発明に係る昇降装置は、図１２に示すようにベルト４２を１つのガイドローラ４０Ｄに掛け渡すだけで架台３８の脚部側面に沿って垂下するようにガイドされる構成を含むものとする。
【００６０】
また、上記実施例ではベルト４２を使用する例につき説明したが、本発明はベルト４２に換えてワイヤーを使用して同様の機能を発揮させる構成としたものを含むものとする。
【００６１】
図１３は本発明に係る昇降装置の他の例を示す説明図である。本発明に係る昇降装置においては、架台３８の支持部材３０に設置されるモータ４６を、図１３に示すように支持部材３０の下面に取付けられて支持部材３０の下方に突出するように設置されているものも含むものとする。
【００６２】
モータ４６を支持部材３０の下面に設置することにより、支持部材３０の上面が平坦になるので、支持部材３０の上方に配置される構造物のレイアウトを変えたり、すっきりした外観にすること等が可能である。
【００６３】
本発明に係るキッチンユニットによれば、キッチンユニット本体１２の上面を、調理台としての高さと食卓としての高さとに自在に上下動することができる。すなわち、キッチンユニット本体１２の上面は、調理時には調理し易い高さに保持され、食事時には降下されて食事し易い高さに調整できる。
【００６４】
食事時等に昇降装置２６を駆動して上部構造物２４を下降することにより上部構造物２４の上面を食卓用カウンター２０とほぼ同一平面として広い食卓面とすることができる。すなわち、キッチンユニット本体１２の上面を食卓用カウンター２０と同様に食事し易い高さとすることができる。
【符号の説明】
【００６５】
１０  キッチンユニット
１２  キッチンユニット本体
１４  加熱調理機器
１６  シンク
１８  排水口
１９  排水管
２０  食卓用カウンター
２１Ａ  遮蔽板
２１Ｂ  遮蔽板
２２  下部構造物
２４  上部構造物
２３  椅子
２５  引出し式椅子
２６  昇降装置
２８  補助カウンター
２９  スライドカウンター
３０  支持部材
３２  可動部材
３４  不動部材
３６  脚部
３８  架台
４０Ａ  ガイドローラ
４０Ｂ  ガイドローラ
４０Ｃ  ガイドローラ
４０Ｄ  ガイドローラ
４２  ベルト
４４  回転体
４６  モータ
４８  嵌合溝
４９  嵌合溝
５０  ガイドケース
５２  スライドケース
５４  スライダー
５６  空間
５８  ねじ溝
６０  ロッド
６２  ナット
６６  ブラケット
６８  保持溝
７０  物品収納部
７２  配管設備を備えるＰＳ
７４  車輪
７６  張力調節装置
【図１】
0005354810.tif 000002
【図２】
0005354810.tif 000003
【図３】
0005354810.tif 000004
【図４】
0005354810.tif 000005
【図５】
0005354810.tif 000006
【図６】
0005354810.tif 000007
【図７】
0005354810.tif 000008
【図８】
0005354810.tif 000009
【図９】
0005354810.tif 000010
【図１０】
0005354810.tif 000011
【図１１】
0005354810.tif 000012
【図１２】
0005354810.tif 000013
【図１３】
0005354810.tif 000014